(57)【要約】【課題】  光源が発した熱を安価で軽量な放熱器を用いて効率的に放熱するヘッドアップディスプレイ装置を提供する。【解決手段】  本発明に係るヘッドアップディスプレイ装置は、前面側に光源１０を有する光源基板１と、光源基板１の背面側に配置され射出成形により成形された高熱伝導樹脂製の放熱器５と、を備えたヘッドアップディスプレイ装置であって、放熱器５は、光源基板１から離れる方向に向かって延びるフィン部５ｆを有し、射出成形される際のゲート部５ｇ１，５ｇ２がフィン部５ｆの先端に配置される。【選択図】  図２
2018103757.tif 000002
【特許請求の範囲】
【請求項１】
前面側に光源を有する光源基板と、前記光源基板の背面側に配置され射出成形により成形された高熱伝導樹脂製の放熱器と、を備えたヘッドアップディスプレイ装置であって、
前記放熱器は、前記光源基板から離れる方向に向かって延びるフィン部を有し、ゲート部が前記フィン部の先端に配置される、
ことを特徴とするヘッドアップディスプレイ装置。
【請求項２】
前記光源基板は前記光源を複数有し、
前記ゲート部は複数設けられ、
前記複数のゲート部から射出された前記高熱伝導樹脂が合流して形成されるウエルドラインは、前記光源を等分に区分けするように形成される、
ことを特徴とする請求項１に記載のヘッドアップディスプレイ装置。
【請求項３】
前記ゲート部は前記複数の光源のいずれかの直下に設けられる、
ことを特徴とする請求項２に記載のヘッドアップディスプレイ装置。
【発明の詳細な説明】
【技術分野】
【０００１】
本発明は、光源が発する熱を効率良く放熱する放熱器を有するヘッドアップディスプレイ装置に関する。
【背景技術】
【０００２】
従来のヘッドアップディスプレイ装置として、特許文献１に開示されたものがある。このヘッドアップディスプレイ装置は、発光ダイオード（光源）を有する硬質配線板（光源基板）が発した熱をアルミなどの金属製ヒートシンク（放熱器）により放熱している。
【先行技術文献】
【特許文献】
【０００３】
【特許文献１】特開２００３−１０４０８６
【発明の概要】
【発明が解決しようとする課題】
【０００４】
しかしながら、放熱器を金属製にする場合においては、費用が高く重量も重いという課題がある。
【０００５】
本発明は、上述した課題に鑑みてなされたものであり、光源が発した熱を安価で軽量な放熱器を用いて効率的に放熱するヘッドアップディスプレイ装置を提供することである。
【課題を解決するための手段】
【０００６】
本発明に係るヘッドアップディスプレイ装置は、
前面側に光源を有する光源基板と、前記光源基板の背面側に配置され射出成形により成形された高熱伝導樹脂製の放熱器と、を備えたヘッドアップディスプレイ装置であって、
前記放熱器は、前記光源基板から離れる方向に向かって延びるフィン部を有し、ゲート部が前記フィン部の先端に配置される。
【０００７】
また、本発明に係るヘッドアップディスプレイ装置の
前記光源基板は前記光源を複数有し、
前記ゲート部は複数設けられ、
前記複数のゲート部から射出された前記高熱伝導樹脂が合流して形成されるウエルドラインは、前記光源を等分に区分けするように形成される、
ように構成することが好ましい。
【０００８】
また、本発明に係るヘッドアップディスプレイ装置の
前記ゲート部は前記複数の光源のいずれかの直下に設けられる、
ように構成することが好ましい。
【発明の効果】
【０００９】
本発明によれば、光源が発した熱を安価で軽量な放熱器を用いて効率的に放熱するヘッドアップディスプレイ装置を提供できる。
【図面の簡単な説明】
【００１０】
【図１】本発明の実施形態であるヘッドアップディスプレイ装置の構成概略図。
【図２】同ヘッドアップディスプレイ装置のフィン部および光源基板の位置関係を示す図。
【図３】同ヘッドアップディスプレイ装置の光源からフィン部への放熱の流を示す図。
【発明を実施するための形態】
【００１１】
本発明の実施形態であるヘッドアップディスプレイ装置Ｈを添付図面を参照して説明する。
【００１２】
ヘッドアップディスプレイ装置Ｈは、図１に示すように、光源基板１と、レンズ２と、表示パネル３と、反射鏡４と、下ケース５と、上ケース６と、から主に構成される。
【００１３】
光源基板１は、発光ダイオードなどの光源１０が複数設けられた回路基板である。光源基板１は、図示しない制御手段に制御されて光源１０から光を発する。
【００１４】
レンズ２は、レンズアレイやフィールドレンズなどの種々のレンズであり、光源１０から発せられた点光源を略平行光にして表示パネル３を背面から照明する。
【００１５】
表示パネル３は、液晶パネルであり、図示しない制御手段に制御されて表示面に画像を形成する。表示パネル３は背面から照明されることにより表示面に形成した画像を表示光Ｌとして反射鏡４に向けて発する。
【００１６】
反射鏡４は、平面鏡や凹面鏡であり、ヘッドアップディスプレイ装置Ｈが搭載される車両のウィンドシールドＷＳに向けて表示光Ｌを反射する。ウィンドシールドＷＳに投射された表示光Ｌは虚像Ｖとして運転者に視認される。
【００１７】
下ケース５は、光源基板１とレンズ２と表示パネル３と反射鏡４とを収容する筐体である。下ケース５は、セラミックスフィラーなどの熱伝導性フィラーを添加した樹脂（高熱伝導樹脂）を射出成形により成形される。この高熱伝導樹脂は、熱伝導率１．０[Ｗ／ｍＫ：ワット毎メートル毎ケルビン]以上を有し、ポリプロピレンやＡＢＳ樹脂などの一般的な樹脂の熱伝導率に比べ高い。また、下ケース５は、筐体外部に向けて延びるフィン部５ｆを有し、このフィン部５ｆの裏面側に光源基板１が固定されている。これにより、下ケース５は、光源基板１の光源１０が発した熱はフィン部５ｆを伝わって筐体外部に放出する放熱器として機能する。
【００１８】
上ケース６は、アクリル樹脂などの透光性樹脂で形成された窓部６ａと、この窓部６ａをポリプロピレンなどの不透過樹脂で支持した蓋体である。
【００１９】
次に、下ケース５のフィン部５ｆと光源基板１の配置について図２および図３を参照して説明する。
【００２０】
フィン部５ｆの先端には、複数のゲート部５ｇ１，５ｇ２が配置されている。下ケース５を射出成形するにあたり、この複数のゲート部５ｇ１，５ｇ２から射出された樹脂はウエルドラインＷＬで合流する。このウエルドラインＷＬによって、フィン部５ｆは、第１フィン部５ｆ１と第２フィン部５ｆ２に区分けされる。
【００２１】
また、ウエルドラインＷＬは、第１フィン部５ｆ１，第２フィン部５ｆ２に対応する光源１０の数が均等になるように形成されている。ウエルドラインＷＬによって光源１０は、第１フィン部５ｆ１に対応する第１光源群１０ａと第２フィン部５ｆ２に対応する第２光源群１０ｂに区分けされる。これにより、第１光源群１０ａが発した熱は第１フィン部５ｆ１によって放熱され、第２光源群１０ｂが発した熱は第２フィン部５ｆ２によって放熱される。
【００２２】
また、ゲート部５ｇ１，５ｇ２は、光源１０のいずれかの直下に配置されている。
【００２３】
以上のように、本発明に係るヘッドアップディスプレイ装置Ｈは、前面側に光源１０を有する光源基板１と、光源基板１の背面側に配置され射出成形により成形された高熱伝導樹脂製の放熱器５と、を備えたヘッドアップディスプレイ装置であって、放熱器５は、光源基板１から離れる方向に向かって延びるフィン部５ｆを有し、射出成形される際のゲート部５ｇ１，５ｇ２がフィン部５ｆの先端に配置される。
射出成形に熱伝導性フィラーを含有した高熱伝導樹脂を用いる場合においては、樹脂の流動方向に沿って熱伝導性フィラーの向きが揃い、この熱伝導性フィラーの向きに沿って熱が伝わりやすい。そのため、ゲート部５ｇ１，５ｇ２をフィン部５ｆの先端に配置することにより光源基板１が発した熱を効率よくフィン部５ｆの先端に向かって伝えることができる。また、高熱伝導樹脂は一般的な樹脂に比べて流動性が悪いためフィン部５ｆのような尖端形状を射出成形する場合においても確実に先端まで樹脂を充填することができ、製造性が向上する。
【００２４】
また、本発明に係るヘッドアップディスプレイ装置Ｈの光源基板１は光源１０を複数有し、ゲート部５ｇ１，５ｇ２は複数設けられ、複数のゲート部５ｇ１，５ｇ２から射出された高熱伝導樹脂が合流して形成されるウエルドラインＷＬは、光源１０を等分に区分けするように形成される。
射出成形に熱伝導性フィラーを含有した高熱伝導樹脂を用いる場合においては、ウエルドラインＷＬを横切る方向（ウエルドラインＷＬに対して垂直方向）への熱の伝達性が悪くなる。つまり、この複数のゲート部５ｇ１，５ｇ２から射出された樹脂の流動方向に沿って熱の伝達方向を制御でき、ウエルドラインＷＬによって熱の伝達を遮断することができる。これにより、第１光源群１０ａと第２光源群１０ｂは、ウエルドラインＷＬで区分けされた第１フィン部５ｆ１と第２フィン部５ｆ２にそれぞれ熱を伝えるように構成される。そのため、第１光源群１０ａが発した熱がフィン部５ｆを介して第２光源群１０ｂに伝わる虞が低減する。
【００２５】
また、本発明に係るヘッドアップディスプレイ装置Ｈのゲート部５ｇ１，５ｇ２は複数の光源１０のいずれかの直下に設けられる。
このように構成することで、光源１０が発した熱がゲート部５ｇ１，５ｇ２が設けられたフィン部５ｆの先端に向かって伝達しやすくなる。
【００２６】
以上、本発明に係るヘッドアップディスプレイ装置Ｈを説明した。本発明は上述した実施形態（図面の内容も含む）によって限定されず、本発明の主旨に従う範囲で上述の実施形態に変更（構成要素の削除も含む）を加えてもよい。
【００２７】
例えば、ゲート部を３つ以上設けて、フィン部５ｆと光源１０を３つ以上に区分けして構成してもよい。また、区分けするにあたっては、光源１０のそれぞれが発する熱量を考慮して、熱量が多い光源群ほどフィン部の面積を大きく割り当てるように区分けすることが好ましい。
【産業上の利用可能性】
【００２８】
本発明は、車両に搭載されるヘッドアップディスプレイ装置に好適である。
【符号の説明】
【００２９】
Ｈ…ヘッドアップディスプレイ装置
１…光源基板
１０…光源
１０ａ…第１光源群
１０ｂ…第２光源群
５…下ケース（放熱器）
５ｆ…フィン部
５ｆ１…第１フィン部
５ｆ２…第２フィン部
５ｇ１，５ｇ２…ゲート部
ＷＬ…ウエルドライン
【図１】
2018103757.tif 000003
【図２】
2018103757.tif 000004
【図３】
2018103757.tif 000005